(57)【要約】【課題】ユーザーが議論内容を表示可能な媒体を用いて容易に議論を再開することができる情報処理装置及び情報処理装置用プログラムを提供する。【解決手段】制御部１２は、カメラ１４により撮影されたボード４０の撮影画像に基づいて、ボード４０上に配置されたタイトルカード及びそのタイトルカードの議論領域内の付箋カードの画像を抽出すると共に各カードに付されたＩＤを識別し、これらの情報を関連付けてハードディスク２２に記憶させる。再度タイトルカードがボード４０上に配置されると、そのタイトルカードの議論領域にそのタイトルカードに関連付けられた付箋カードの画像を表示させる。議論領域内の付箋カードの画像と同一のＩＤの付箋カードがボード４０上に再度配置された場合は、ボード４０上に表示された付箋カードの画像を消去する。【選択図】図１
2010231369.tif 000002
【特許請求の範囲】
【請求項１】
ボード上に置かれた第１の識別符号が付された第１のカードが配置されたボード上における前記第１のカードの位置及び画像を含む第１のカード情報と、第２の識別符号が付された第２のカードの前記ボード上における位置及び画像を含む第２のカード情報と、の少なくとも一方を取得するカード情報取得手段と、
前記カード情報取得手段により取得された前記第１のカード情報に基づいて、前記第１のカードの領域を前記ボード上に表示させる第１の表示制御手段と、
前記カード情報取得手段により取得された前記第１のカード情報及び前記第２のカード情報に基づいて、前記第１の識別符号及び前記第２の識別符号を識別する識別手段と、
前記ボード上に配置された前記第１のカードの第１の識別符号及び前記第１のカード情報と、前記ボード上の前記第１のカードの領域内に配置された前記第２のカードの第２の識別符号及び前記第２のカード情報と、を関連付けた対応関係情報を記憶手段に記憶させる制御手段と、
前記記憶手段に記憶された前記対応関係情報に基づいて、前記対応関係情報に含まれる前記第１の識別符号と同一の第１の識別符号が付された第１のカードが前記ボード上に配置された場合に、当該第１のカードに関連付けられた第２のカード情報を前記ボード上に表示させる第２の表示制御手段と、
前記第２の表示制御手段により前記ボード上に表示された第２のカード情報に対応する第２の識別符号と同一の第２の識別符号が付された第２のカードが前記ボード上に配置された場合に、当該第２のカードの第２のカード情報の表示を消去する消去手段と、
を備えた情報処理装置。
【請求項２】
前記第１表示制御手段は、前記ボード上に前記第２のカードのみが配置された状態で前記第１のカードが前記ボード上に配置された場合に、前記第２のカードを囲むように前記第１のカードの領域を前記ボード上に表示させる
請求項１記載の情報処理装置。
【請求項３】
前記第１の表示制御手段は、複数の前記第１のカードが前記ボード上に配置された場合に、各第１のカードの領域が重ならないように、各領域を前記ボード上に表示させる
請求項１又は請求項２記載の情報処理装置。
【請求項４】
前記第１の表示制御手段は、複数の前記第１のカードが前記ボード上に配置された場合に、各第１のカードの領域が重なるように、各領域を前記ボード上に表示させる
請求項１又は請求項２記載の情報処理装置。
【請求項５】
前記第１の表示制御手段は、前記第１のカードが他の第１のカードの領域内に配置された場合には、前記他の第１のカードの領域のみを前記ボード上に表示させる
請求項１〜請求項３の何れか１項に記載の情報処理装置。
【請求項６】
コンピュータを、請求項１〜請求項５の何れか１項に記載の情報処理装置を構成する各手段として機能させるための情報処理装置用プログラム。
【発明の詳細な説明】
【技術分野】
【０００１】
本発明は、情報処理装置及び情報処理装置用プログラムに関する。
【背景技術】
【０００２】
従来、オフィス等においてミーティングやグループワークを行う際に、ボードに付箋等のカードを貼り付けて議論する手法、例えばブレインストーミングやＫＪ法等が採用される場合がある。この場合、議論の結果を必要なときに参照し、再利用したいという要求がある。
【０００３】
特許文献１には、コード付き付箋の画像及び位置を取得し、これらを関連付けて記録する技術が開示されている。
【０００４】
特許文献２には、付箋紙に書き込まれた情報を読み取って、これを対象画像に重ね合わせて表示する技術が開示されている。
【特許文献１】特開２００６−５９０２０号公報
【特許文献２】特開２００７−２１３４４７号公報
【発明の開示】
【発明が解決しようとする課題】
【０００５】
本発明は、情報処理装置及び情報処理装置用プログラムを提供することを目的とする。
【課題を解決するための手段】
【０００６】
上記目的を達成するために、請求項１記載の発明の情報処理装置は、第１の識別符号が付された第１のカードが配置されたボード上における前記第１のカードの位置及び画像を含む第１のカード情報と、第２の識別符号が付された第２のカードの前記ボード上における位置及び画像を含む第２のカード情報と、の少なくとも一方を取得するカード情報取得手段と、前記カード情報取得手段により取得された前記第１のカード情報に基づいて、前記第１のカードの領域を前記ボード上に表示させる第１の表示制御手段と、  前記カード情報取得手段により取得された前記第１のカード情報及び前記第２のカード情報に基づいて、前記第１の識別符号及び前記第２の識別符号を識別する識別手段と、前記ボード上に配置された前記第１のカードの第１の識別符号及び前記第１のカード情報と、前記ボード上の前記第１のカードの領域内に配置された前記第２のカードの第２の識別符号及び前記第２のカード情報と、を関連付けた対応関係情報を記憶手段に記憶させる制御手段と、前記記憶手段に記憶された前記対応関係情報に基づいて、前記対応関係情報に含まれる前記第１の識別符号と同一の第１の識別符号が付された第１のカードが前記ボード上に配置された場合に、当該第１のカードに関連付けられた第２のカード情報を前記ボード上に表示させる第２の表示制御手段と、前記第２の表示制御手段により前記ボード上に表示された第２のカード情報に対応する第２の識別符号と同一の第２の識別符号が付された第２のカードが前記ボード上に配置された場合に、当該第２のカードの第２のカード情報の表示を消去する消去手段と、を備えたことを特徴とする。
【０００７】
請求項２記載の発明は、前記第１表示制御手段は、前記ボード上に前記第２のカードのみが配置された状態で前記第１のカードが前記ボード上に配置された場合に、前記第２のカードを囲むように前記第１のカードの領域を前記ボード上に表示させることを特徴とする。
【０００８】
請求項３記載の発明は、前記第１の表示制御手段は、複数の前記第１のカードが前記ボード上に配置された場合に、各第１のカードの領域が重ならないように、各領域を前記ボード上に表示させることを特徴とする。
【０００９】
請求項４記載の発明は、前記第１の表示制御手段は、複数の前記第１のカードが前記ボード上に配置された場合に、各第１のカードの領域が重なるように、各領域を前記ボード上に表示させることを特徴とする。
【００１０】
請求項５記載の発明は、前記第１の表示制御手段は、前記第１のカードが他の第１のカードの領域内に配置された場合には、前記他の第１のカードの領域のみを前記ボード上に表示させることを特徴とする。
【００１１】
請求項６記載の発明の情報処理装置用プログラムは、コンピュータを、請求項１〜請求項５の何れか１項に記載の情報処理装置を構成する各手段として機能させることを特徴とする。
【発明の効果】
【００１２】
請求項１記載の発明によれば、ユーザーが特別な操作をすることなく、第１のカードの領域内に配置された第２のカードの第２のカード情報の表示及び消去が可能になる、という効果を有する。
【００１３】
請求項２記載の発明によれば、先に第１のカードをボード上に配置しなくてもよい、という効果を有する。
【００１４】
請求項３記載の発明によれば、ボード上に配置された各第１のカードの内容を一瞥できる、という効果を有する。
【００１５】
請求項４記載の発明によれば、ボード上に配置された第１のカードの数が多い場合でも、第１のカードの領域を小さくする必要がない、という効果を有する。
【００１６】
請求項５記載の発明によれば、複数の第１のカードの内容を階層構造にすることができる、という効果を有する。
【００１７】
請求項６記載の発明によれば、ユーザーが特別な操作をすることなく、第１のカードの領域内に配置された第２のカードの第２のカード情報の表示及び消去が可能になる、という効果を有する。
【発明を実施するための最良の形態】
【００１８】
（第１実施形態）
以下、本発明の第１実施形態について説明する。なお、本実施形態では、後述するように、タイトルカード（第１のカード）や付箋カード（第２のカード）を用いてユーザーが議論する場合に本発明を適用した場合について説明するが、本発明の適用範囲はこれに限られるものではない。
【００１９】
図１には、本実施形態に係る情報処理装置１０の概略構成を示した。同図に示すように、情報処理装置１０は、各部を統括制御する制御部１２を備えている。制御部１２は、一例としてＣＰＵ（Central Processing Unit）１２Ａ、例えばＯＳ等の基本プログラム等が記憶されたＲＯＭ（Read Only Memory）１２Ｂ、各種データを一時的に記憶するＲＡＭ（Random Access Memory）１２Ｃ、データを書き換え可能で電源が供給されなくてもデータを保持することができる不揮発性メモリ１２Ｄ、及び入出力インターフェース（Ｉ／Ｏ）１２Ｅがバス１２Ｆを介して各々接続された構成となっている。なお、不揮発性メモリ１２Ｄには、例えば後述する制御プログラム等が記憶される。
【００２０】
Ｉ／Ｏ１２Ｅには、カメラ１４、プロジェクター１６、画像処理部１８、操作表示部２０、及びハードディスク２２等が接続されている。
【００２１】
カメラ１４は、制御部１２からの指示により、ボード４０を所定期間毎に撮影し、撮影画像の画像データを制御部１２へ出力する。
【００２２】
プロジェクター１６は、詳細は後述するが、制御部１２からの指示により、ボード４０に配置されたタイトルカードの議論領域を示す枠線や、タイトルカードの議論領域内に過去に議論した付箋カードの情報等をボード４０上に投影する。
【００２３】
操作表示部２０は、各機能の設定操作を行ったり、メニュー画面や各機能の設定状況等の装置の動作状況等を表示する各種画面を表示したりするためのものである。
【００２４】
ハードディスク２２は、詳細は後述するが、タイトルカードや付箋カードに関する情報等の各種情報を記憶するための記憶装置である。
【００２５】
ボード４０は、例えばマグネットボード等で構成され、図２（Ａ）に示すようなタイトルカード５０や同図（Ｂ）に示すような付箋カード６０を貼り付け可能である。タイトルカード５０及び付箋カード６０は、例えばマグネットシートや紙等の表面に筆記可能な媒体で構成される。
【００２６】
また、タイトルカード５０には、そのタイトルカードのＩＤ（第１の識別符号）を示すＩＤコード５２が付されている。
【００２７】
同様に、付箋カード６０には、その付箋カードのＩＤ（第２の識別符号）を示すＩＤコード６２が付されている。
【００２８】
ＩＤコード５２及びＩＤコード６２は、例えば数字や記号、数字及び記号の組み合わせ等で表わされたＩＤがそのまま印刷されていてもよいし、このようなＩＤに対応したバーコードが印刷されていてもよい。
【００２９】
議論に参加するユーザーは、例えばタイトルカード５０には議論のタイトル等を記載し、付箋カード６０には、議論する内容のキーワード等を記載し、これらのカードをボード４０上に自由に配置して議論する。
【００３０】
次に、本実施形態の作用として、ＣＰＵ１２Ａで実行される制御プログラムについて、図３に示すフローチャートを参照して説明する。なお、図３に示す制御プログラムは一例として不揮発性メモリ１２Ｄに予め記憶され、ＣＰＵ１２Ａは、不揮発性メモリ１２Ｄから制御プログラムを読み込んで実行する。また、不揮発性メモリ１２Ｄではなくハードディスク２２に制御プログラムを記憶しておき、ハードディスク２２から制御プログラムを読み込んで実行するようにしてもよい。さらに、制御プログラムは、例えばネットワークを介して他のコンピュータ等から供給されるようにしてもよいし、ＣＤ−ＲＯＭやメモリーカード等の記録媒体により供給されるようにしてもよい。
【００３１】
図３に示す制御プログラムは、例えばユーザーが操作表示部２０により制御プログラムの実行を指示すると所定時間毎に実行される。
【００３２】
まず、ステップ１００では、カメラ１４により撮影されたボード４０の撮影画像を取得する。
【００３３】
ステップ１０２では、画像処理部１８により、取得した撮影画像を画像処理させる。この画像処理では、まずボード４０上のタイトルカード５０及び付箋カード６０の画像を検出し、検出した画像のボード４０上の位置を求める。なお、タイトルカード５０及び付箋カード６０の検出は、例えば特徴抽出処理やエッジ検出処理等の公知の画像処理方法を用いて検出する。例えば、タイトルカード５０や付箋カード５２の形状が矩形形状等の予め定められた形状である場合には、撮影画像の中からその形状の画像を抽出することでタイトルカード５０や付箋カード６０を検出する。また、タイトルカード５０や付箋カード６０のサイズや色等が予め定められていれば、これらの条件も考慮して検出するようにしてもよい。
【００３４】
そして、タイトルカード５０や付箋カード６０の画像が検出された場合には、検出した画像からタイトルカード５０のＩＤコード５２及び付箋カード６０のＩＤコード６２を抽出し、ＩＤを識別する。ＩＤの識別は、例えばＩＤコード５２やＩＤコード６２が数字や記号等が印刷されたものであれば、例えば公知のＯＣＲ処理によりＩＤを識別する。また、ＩＤコード５２やＩＤコード６２がバーコードであれば、公知のバーコード読み取り処理によりＩＤを識別する。
【００３５】
ステップ１０４では、撮影画像からタイトルカード５０が検出されたか否かを判断し、タイトルカード５０が検出された場合にはステップ１０６へ移行し、タイトルカード５０が検出されなかった場合には、ステップ１１２へ移行する。
【００３６】
ステップ１０６では、検出したタイトルカード５０の議論領域を設定する。例えば複数のタイトルカード５０がボード４０上に存在する場合、例えば図４（Ａ）に示すように、「テーマＡ」と記載されたタイトルカード５０Ａの議論領域７０Ａと、「テーマＢ」と記載されたタイトルカード５０Ｂの議論領域７０Ｂが重ならないように設定してもよいし、タイトルカードの数が多く、互いの議論領域が重ならないようにすると議論領域が小さくなってしまう場合には、図４（Ｂ）に示すように、各議論領域が重なるように設定してもよい。
【００３７】
また、図４（Ａ）に示すように、タイトルカード５０Ａの議論領域７０Ａ内に、他のタイトルカード５０Ｃを配置する場合がある。この場合、タイトルカード５０Ｃは、タイトルカード５０Ａの議論領域７０Ａ内に属するので、タイトルカード５０Ｃに対する議論領域は設定しない。
【００３８】
また、詳細は後述するが、タイトルカード５０を先にボード４０上に配置し、その議論領域内に付箋カード６０を配置する場合もあれば、先に付箋カード６０をボード４０上に配置し、後から付箋カード６０の近辺にタイトルカード５０をボード４０上に配置する場合もある。この場合、先に配置された付箋カード６０を囲むように議論領域を設定する。
【００３９】
設定した議論領域の領域サイズは、図５（Ａ）に示すようなタイトルカードテーブル７０に登録される。
【００４０】
図５（Ａ）に示すように、タイトルカードテーブル７０は、タイトルカード５０のＩＤ、ボード４０上の座標、議論領域のサイズ、タイトルカード５０の画像のファイル名、アクティブ情報、後述するタイトルカード５０の保存用コンテンツテーブルのテーブル名等を含むタイトルカード情報がタイトルカード毎に登録されたテーブルである。このタイトルカードテーブル７０は、例えばハードディスク２２に記憶される。ここで、アクティブ情報が「ＴＲＵＥ」の場合は、そのタイトルカード５０がアクティブ、すなわちボード４０上にタイトルカード５０が配置され、そのタイトルについて議論中であることを示し、「ＦＡＬＳＥ」の場合は、そのタイトルカード５０が非アクティブ、すなわち、ボード４０上にタイトルカード５０が配置されておらず、そのタイトルについては議論中ではないか、そのタイトルカードが他のタイトルカードの議論領域に含まれており、そのタイトルカード自身の議論領域が設定されていないことを示す。
【００４１】
なお、ステップ１０２で検出したタイトルカード５０のタイトルカード情報がタイトルカードテーブル７０に登録されていない場合、すなわち初めてボード４０上にタイトルカード５０が配置された場合には、ステップ１０６においてタイトルカード情報をタイトルカードテーブル７０に登録する。
【００４２】
ステップ１０８では、ボード４０上のタイトルカード５０をアクティブ状態とするため、タイトルカードテーブル７０のアクティブ情報を「ＴＲＵＥ」にする。
【００４３】
ステップ１１０では、設定した議論領域のサイズの枠線がボード４０上に表示されるように、プロジェクター１６に指示する。これにより、プロジェクター１６は、ボード４０上にタイトルカード５０の議論領域の枠線を表示（投影）する。
【００４４】
ステップ１１２では、前回撮影時、すなわち前回本ルーチンを実行したときはアクティブであったが、今回の本ルーチン実行時に検出されなかったタイトルカード５０のタイトルカード情報のアクティブ情報を「ＦＡＬＳＥ」に書き換えて非アクティブにすると共に、その非アクティブとなったタイトルカード５０のコンテンツ情報を、図５（Ｃ）に示すような一時記憶用・コンテンツテーブル７４から図５（Ｂ）に示すような保存用コンテンツテーブル７２に保存する。保存用コンテンツテーブル７２及び一時記憶用・コンテンツテーブル７４は、例えばハードディスク２２に記憶される。
【００４５】
図５（Ｂ）に示すように、保存用コンテンツテーブル７２は、タイトルカード５０毎に設けられ、そのタイトルカード５０の議論領域に含まれるカード（タイトルカード又は付箋カード）のＩＤ、カード種類、ボード４０上の座標、カードの画像のファイル名等が含む保存用コンテンツ情報がカード毎に登録されたテーブルである。この保存用コンテンツテーブル７２を参照することにより、そのタイトルカード５０に関連付けられた付箋カード６０やタイトルカード５０の情報を得ることができる。
【００４６】
また、図５（Ｃ）に示すように、一時記憶用・コンテンツテーブル７４は、図５（Ｂ）に示した保存用コンテンツテーブル７２と同内容の項目を持つテーブルである。この一時記憶用・コンテンツテーブル７４には、ボード４０上に実際に存在する筆記媒体としてのタイトルカード５０や付箋カード６０のコンテンツ情報を一時的に記憶するための一時記憶用・カードコンテンツテーブルと、この一時記憶用・カードコンテンツテーブルと同内容の項目を持つテーブルであって、後述するようにボード４０上に以前の議論内容のタイトルカード５０や付箋カード６０のコンテンツ情報を再表示させた場合の、そのコンテンツ情報を一時的に記憶するための一時記憶用・電子コンテンツテーブルと、がある。以下では、これらの一時記憶用のコンテンツテーブルを、一時記憶用・カードコンテンツテーブル７４Ａ、一時記憶用・電子コンテンツテーブル７４Ｂと称する。
【００４７】
ステップ１１４では、前回撮影時に非アクティブで今回の本ルーチン実行時にアクティブになったタイトルカード５０、すなわち今回ボード４０上に配置されたタイトルカード５０のコンテンツ情報を、保存用コンテンツテーブル７２から読み出して、一時記憶用・電子カードコンテンツテーブル７４Ｂに登録する。
【００４８】
ステップ１１６では、アクティブのタイトルカード５０のコンテンツ情報が一時記憶用・カードコンテンツテーブル７４Ａに登録されている場合には、そのコンテンツ情報を一時記憶用・カードコンテンツテーブル７４Ａから削除する。
【００４９】
ステップ１１８では、図６に示すような一時記憶用・カードコンテンツテーブル７４Ａへの登録処理を行う。
【００５０】
図６のステップ２００では、他のタイトルカード５０の議論領域内のボード４０上に実際に配置されたタイトルカード５０が存在するか否かを判断し、存在する場合にはステップ２０２へ移行し、存在しない場合にはステップ２０４へ移行する。例えば、図４に示すように、タイトルカード５０Ａの議論領域７０Ａ内にタイトルカード５０Ｃが配置された場合には、本ステップで肯定判断される。
【００５１】
ステップ２０２では、他のタイトルカード５０の議論領域内に存在するタイトルカード５０のコンテンツ情報を、当該他のタイトルカード５０の一時記憶用・カードコンテンツテーブル７４Ａに登録する。
【００５２】
ステップ２０４では、タイトルカード５０の議論領域内のボード４０上に実際に配置された付箋カード６０が存在するか否かを判断し、存在する場合にはステップ２０６へ移行し、存在しない場合にはステップ２０８へ移行する。
【００５３】
ステップ２０６では、タイトルカード５０の議論領域内に存在する付箋カード６０のコンテンツ情報を、当該タイトルカード５０の一時記憶用・カードコンテンツテーブル７４Ａに登録する。
【００５４】
ステップ２０８では、一時記憶用・カードコンテンツテーブル７４Ａに登録されたＩＤと同一のＩＤのコンテンツ情報が一時記憶用・電子コンテンツテーブル７４Ｂに登録されているか否かを判断する。そして、肯定判断された場合にはステップ２１０へ移行し、否定判断された場合には本ルーチンを終了する。
【００５５】
ステップ２１０では、一時記憶用・カードコンテンツテーブル７４Ａに登録されたＩＤと同一のＩＤのコンテンツ情報を、一時記憶用・電子コンテンツテーブル７４Ｂから削除する。
【００５６】
なお、本ルーチンの各ステップの処理は、議論領域が作成された全てのタイトルカードについて行われる。
【００５７】
図３に戻り、ステップ１２０では、アクティブのタイトルカード５０の一時記憶用・電子コンテンツテーブル７４Ｂを参照し、その一時記憶用・電子コンテンツテーブル７４Ｂに登録されているコンテンツ情報をそのタイトルカード５０の議論領域内に表示するようプロジェクター１６に指示する。これにより、アクティブのタイトルカード５０の議論領域内に、そのタイトルカード５０に関連付けられたタイトルカード５０や付箋カード６０のコンテンツ情報がボード４０上に表示される。
【００５８】
次に、実際の議論の流れについて説明する。
【００５９】
図７（Ａ）〜（Ｄ）には、新しいタイトルカード５０を先にボード４０上に配置して議論を開始する場合の流れについて示した。
【００６０】
まず、図７（Ａ）に示すように、ユーザーが、タイトルカード５０や付箋カード６０が用意されたボード８０から議論用のボード４０上に例えば「テーマＡ」とタイトルが記載されたタイトルカード５０Ａを貼り付けたとする。
【００６１】
これにより、ボード４０の撮影画像からタイトルカード５０Ａの画像が検出されてＩＤ及び位置が検出され、タイトルカード５０Ａの議論領域が設定される（図３のステップ１００〜１０６）。
【００６２】
そして、タイトルカード５０Ａがアクティブとされ、図７（Ｂ）に示すように、タイトルカード５０Ａの議論領域７０Ａの枠線が表示される（図３のステップ１０８〜１１０）。
【００６３】
図７（Ｃ）に示すように、タイトルカード５０Ａの議論領域７０Ａ内に、ユーザーが「ｘｘｘ」とキーワードが記載された付箋カード６０Ａ、「ｙｙｙ」とキーワードが記載された付箋カード６０Ｂ、「ｚｚｚ」とキーワードが記載された付箋カード６０Ｃをボード４０上に貼り付けると、ボード４０の撮影画像から付箋カード６０の画像が検出されてＩＤ及び位置が検出され（図３のステップ１００〜１０２）、これらの付箋カード６０のコンテンツ情報が一時記憶用・カードコンテンツテーブル７４Ａに登録される（図６のステップ２０４〜２０６）。
【００６４】
そして、図７（Ｄ）に示すように、タイトルカード５０Ａをボード４０からはがして議論を終了すると、タイトルカード５０Ａが非アクティブとなり、一時記憶用・カードコンテンツテーブル７４Ａに登録されていたタイトルカード５０Ａのコンテンツ情報を保存用コンテンツテーブル７２に登録する（図３のステップ１１２）。
【００６５】
また、図８（Ａ）〜（Ｄ）には、付箋カード６０を先にボード４０上に配置してから新しいタイトルカード５０をボード４０上に配置して議論する場合の流れについて示した。
【００６６】
まず、図８（Ａ）に示すように、ユーザーが、タイトルカード５０や付箋カード６０が用意されたボード８０から議論用のボード４０上に、「ｘｘｘ」とキーワードが記載された付箋カード６０Ａ、「ｙｙｙ」とキーワードが記載された付箋カード６０Ｂ、「ｚｚｚ」とキーワードが記載された付箋カード６０Ｃをボード４０上に貼り付けたとする。
【００６７】
これにより、ボード４０の撮影画像から付箋カード６０Ａ、６０Ｂ、６０Ｃの画像が検出され、各付箋カードのＩＤ及び位置が検出される（図３のステップ１００〜１０２）。
【００６８】
そして、「テーマＡ」と記載されたタイトルカード５０Ａがボード４０上に貼り付けられると、図８（Ｂ）に示すように、付箋カード６０Ａ、６０Ｂ、６０Ｃを囲むような議論領域７０Ａの枠線がボード４０上に表示される（図３のステップ１０４〜１０８）。
【００６９】
また、これらの付箋カード６０のコンテンツ情報が一時記憶用・カードコンテンツテーブル７４Ａに登録される（図６のステップ２０４〜２０６）。
【００７０】
そして、図８（Ｃ）に示すように、タイトルカード５０Ａの議論領域７０Ａ内に、ユーザーが「ｖｖｖ」とキーワードが記載された付箋カード６０Ｄをボード４０上に新たに貼り付けると、ボード４０の撮影画像から付箋カード６０Ｄの画像が検出されてＩＤ及び位置が検出され（図３のステップ１００〜１０２）、付箋カード６０Ｄのコンテンツ情報が一時記憶用・カードコンテンツテーブル７４Ａに登録される（図６のステップ２０４〜２０６）。
【００７１】
そして、図８（Ｄ）に示すように、タイトルカード５０Ａをボード４０からはがして議論を終了すると、タイトルカード５０Ａが非アクティブとなり、一時記憶用・カードコンテンツテーブル７４Ａに登録されていたタイトルカード５０Ａのコンテンツ情報を保存用コンテンツテーブル７２に登録する（図３のステップ１１２）。
【００７２】
図９（Ａ）〜（Ｃ）、図１０（Ａ）〜（Ｃ）には、既存のタイトルカード５０、すなわち過去に議論した内容のタイトルカード５０をボード４０上に配置して議論する場合の流れについて示した。
【００７３】
まず、図９（Ａ）に示すように、ユーザーが、タイトルカード５０や付箋カード６０が用意されたボード８０から議論用のボード４０上に例えば「テーマＡ」とタイトルが記載されたタイトルカード５０Ａを貼り付けたとする。
【００７４】
これにより、ボード４０の撮影画像からタイトルカード５０Ａの画像が検出されてＩＤ及び位置が検出され、タイトルカード５０Ａの議論領域７０Ａが設定されて表示される（図３のステップ１００〜１０８）。
【００７５】
そして、タイトルカード５０Ａがアクティブとされ、タイトルカード５０Ａのコンテンツ情報が保存用コンテンツテーブル７２から一時記憶用・電子コンテンツテーブル７４Ｂに登録される（図３のステップ１１４）。
【００７６】
次に、図９（Ｂ）に示すように、タイトルカード５０Ａの一時記憶用・電子コンテンツテーブル７４Ｂに登録されているコンテンツ情報がタイトルカード５０Ａの議論領域７０Ａ内に表示される（図３のステップ１２０）。同図（Ｂ）では、コンテンツ情報として、「ｘｘｘ」とキーワードが記載された付箋カード６０Ａの画像６０Ａ２、「ｙｙｙ」とキーワードが記載された付箋カード６０Ｂの画像６０Ｂ２が議論領域７０Ａ内に表示された場合を示している。
【００７７】
また、図９（Ｃ）に示すように、タイトルカード５０Ａの議論領域７０Ａ内に、ユーザーが「ｖｖ」とキーワードが記載された付箋カード６０Ｅをボード４０上に新たに貼り付けると、ボード４０の撮影画像から付箋カード６０Ｅの画像が検出されてＩＤ及び位置が検出され（図３のステップ１００〜１０２）、付箋カード６０Ｅのコンテンツ情報が一時記憶用・カードコンテンツテーブル７４Ａに登録される（図６のステップ２０４〜２０６）。
【００７８】
また、図１０（Ａ）に示すように、タイトルカード５０Ａの議論領域７０Ａ内に、すでに表示されている画像６０Ｂ２と同一のＩＤの付箋カード６０Ｂが再びボード４０上に貼り付けられると、ボード４０の撮影画像から付箋カード６０Ｂの画像が検出されてＩＤ及び位置が検出され（図３のステップ１００〜１０２）、付箋カード６０Ｂのコンテンツ情報が一時記憶用・カードコンテンツテーブル７４Ａに登録される（図６のステップ２０４〜２０６）。そして、この付箋カード６０Ｂのコンテンツ情報は、一時記憶用・電子コンテンツテーブル７４Ｂにも登録されているため、一時記憶用・電子コンテンツテーブル７４Ｂに登録された付箋カード６０Ｂのコンテンツ情報が削除される（図６のステップ２０８〜２１０）。これにより、図１０（Ｂ）に示すように、付箋カード６０Ｂに対応する画像６０Ｂ２の表示がボード４０から消去される（図３のステップ１２０）。
【００７９】
そして、図１０（Ｃ）に示すように、タイトルカード５０Ａをボード４０からはがして議論を終了すると、タイトルカード５０Ａが非アクティブとなり、一時記憶用・電子コンテンツテーブル７４Ｂに登録されていたタイトルカード５０Ａのコンテンツ情報を保存用コンテンツテーブル７２に登録する（図３のステップ１１２）。
【００８０】
このように、本実施形態では、一度議論した内容のタイトルカード５０が再度ボード４０に貼り付けられた場合、そのタイトルカード５０の議論領域内に、そのタイトルカード５０に関連付けられた付箋カード６０の画像が表示される。そして、議論領域内に表示された画像と同一のＩＤの付箋カード６０が議論領域内に再度貼り付けられると、その画像が消去され、再度付箋カード６０を用いた議論が再開される。
【００８１】
なお、図４（Ｂ）では、タイトルカード５０Ａの議論領域７０Ａ上にタイトルカード５０Ｂの議論領域７０Ｂが重ねられているが、議論領域７０Ａを手前にしたい場合には、例えば操作表示部２０によりタイトルカード５０Ａを選択する操作を行うことにより、図４（Ａ）のように議論領域７０Ａの内部のタイトルカード５０Ｃを非アクティブにして内部の議論領域７０Ｃを非表示にし、議論領域７０Ａを手前に表示するように制御してもよい。また、議論領域７０Ａ内に付箋カード６０が配置された場合に、これを検出したときに議論領域７０Ａが手前に表示されるように制御してもよい。
【００８２】
また、本実施形態では、プロジェクター１６によりタイトルカード５０の議論領域の枠線やコンテンツ情報をボード４０上に投影して表示させる場合について説明したが、これに限らず、プロジェクター１８に代えて液晶表示装置等の表示装置を用いて、タイトルカード５０の議論領域の枠線やコンテンツ情報を直接表示装置に表示させるようにしてもよい。
【図面の簡単な説明】
【００８３】
【図１】情報処理装置の概略ブロック図である。
【図２】（Ａ）はタイトルカードのイメージ図、（Ｂ）は付箋カードのイメージ図である。
【図３】制御部で実行される制御プログラムのフローチャートである。
【図４】ボード上に表示されたタイトルカードの議論領域のイメージ図である。
【図５】（Ａ）はタイトルカードテーブルの一例を示す図、（Ｂ）は保存用コンテンツテーブルの一例を示す図、（Ｃ）は一時記憶用・コンテンツテーブルの一例を示す図である。
【図６】一時記憶用・カードコンテンツテーブルへの登録処理の流れを示すフローチャートである。
【図７】新規のタイトルカードを先にボードに配置した場合の議論の流れを示す図である。
【図８】付箋カードを先にボードに配置してから新規のタイトルカードをボードに配置した場合の議論の流れを示す図である。
【図９】すでに議論した既存のタイトルカードをボードに配置した場合の議論の流れを示す図である。
【図１０】すでに議論した既存のタイトルカードをボードに配置した場合の議論の流れを示す図である。
【符号の説明】
【００８４】
１０  情報処理装置
１２  制御部
１４  カメラ
１６  プロジェクター
１８  画像処理部
２０  操作表示部
２２  ハードディスク
４０  ボード
【図１】
2010231369.tif 000003
【図２】
2010231369.tif 000004
【図３】
2010231369.tif 000005
【図４】
2010231369.tif 000006
【図５】
2010231369.tif 000007
【図６】
2010231369.tif 000008
【図７】
2010231369.tif 000009
【図８】
2010231369.tif 000010
【図９】
2010231369.tif 000011
【図１０】
2010231369.tif 000012